(57)【要約】【課題】複数の遠隔制御装置から制御を受ける場合の使い勝手を向上させる。【解決手段】カメラ１によれば、制御部１２は、第１通信部１９によって通信接続されたスマートフォン２から所定の信号が受信されたか否かにより、スマートフォン２による遠隔制御を解除する旨の指示が検出されたか否かを判断し、スマートフォン２による遠隔制御を解除する旨の指示が検出されたと判断したことに応答して、第１通信部１９によるスマートフォン２との通信を切断し、且つ、第２通信部２０によるリモコン３との通信を開始するよう制御する。【選択図】図３
2019062260.tif 000002
【特許請求の範囲】
【請求項１】
第１の通信手段と、
第２の通信手段と、
前記第１の通信手段によって通信接続された第１の遠隔制御装置から所定の信号が受信されたか否か、又は、ユーザ操作を検出する操作検出手段により所定の操作が検出されたか否かにより、前記第１の遠隔制御装置による遠隔制御を解除する旨の指示が検出されたか否かを判断する第１の判断手段と、
前記第１の判断手段により前記第１の遠隔制御装置による遠隔制御を解除する旨の指示が検出されたと判断されたことに応答し、前記第１の通信手段による前記第１の遠隔制御装置との通信を切断し、且つ、前記第２の通信手段による第２の遠隔制御装置との通信を開始するよう制御する第１の制御手段と、
を備える被制御装置。
【請求項２】
前記第２の遠隔制御装置が動作状態にあるか否かを判断する第２の判断手段を更に備え、
前記第１の制御手段は、前記第２の判断手段により前記第２の遠隔制御装置が動作状態にあると判断された場合、前記第１の通信手段による前記第１の遠隔制御装置との通信を切断し、且つ、前記第２の通信手段による前記第２の遠隔制御装置との通信を開始するよう制御する請求項１に記載の被制御装置。
【請求項３】
前記第１の制御手段は、前記第１の判断手段により前記第１の遠隔制御装置による遠隔制御を解除する旨の指示が検出されたと判断され、前記第２の判断手段により前記第２の遠隔制御装置が動作状態にないと判断されたことに応答し、前記第１の通信手段による前記第１の遠隔制御装置との通信を切断し、且つ、前記操作検出手段により検出された操作に基づいて、前記被制御装置を制御する請求項２に記載の被制御装置。
【請求項４】
前記第１の通信手段を用いた前記第１の遠隔制御装置との通信の開始指示信号が受信されたか否かを判断する第３の判断手段を更に備え、
前記第１の制御手段は、前記第１の通信手段により前記第１の遠隔制御装置が通信接続されていない状態で前記第３の判断手段により前記第１の通信手段を用いた前記第１の遠隔制御装置との通信の開始指示信号が受信されたと判断されたことに応答し、前記第２の通信手段による前記第２の遠隔制御装置との通信を切断し、且つ、前記第１の通信手段による前記第１の遠隔制御装置との通信を開始するよう制御する請求項１又は２に記載の被制御装置。
【請求項５】
前記開始指示信号は、前記第１の通信手段よりも通信に係る消費電力が少ない第２の通信手段を介して受信される請求項４に記載の被制御装置。
【請求項６】
前記操作検出手段により前記第１の通信手段を用いた前記第１の遠隔制御装置との通信の開始指示が検出されたか否かを判断する第４の判断手段を更に備え、
前記第１の制御手段は、前記第１の通信手段により前記第１の遠隔制御装置が通信接続されていない状態で前記第４の判断手段により前記第１の通信手段を用いた前記第１の遠隔制御装置との通信の開始指示信号が検出されたと判断されことに応答し、前記第２の通信手段による前記第２の遠隔制御装置との通信を切断し、且つ、前記第１の通信手段による前記第１の遠隔制御装置との通信を開始するよう制御する請求項１又は２に記載の被制御装置。
【請求項７】
撮像手段を更に備え、
前記第１の通信手段は、前記第１の遠隔制御装置との通信に際し、前記撮像手段によって撮像された画像を送信し、
前記第２の通信手段は、前記第２の遠隔制御装置との通信に際し、前記撮像手段によって撮像された画像を送信しないことを特徴とする請求項１〜６のいずれか一項に記載の被制御装置。
【請求項８】
第１の通信手段と、
第２の通信手段と、
前記第１の通信手段によって通信接続された第１の遠隔制御装置との通信の状況の変化に基づいて、前記第１の通信手段による前記第１の遠隔制御装置との通信を切断し、且つ、前記第２の通信手段による第２の遠隔制御装置との通信を開始するよう制御する第２の制御手段と、
を備える被制御装置。
【請求項９】
第１の通信手段と、第２の通信手段と、を備える被制御装置における通信制御方法であって、
前記第１の通信手段によって通信接続された第１の遠隔制御装置から所定の信号が受信されたか否か、又は、ユーザ操作を検出する操作検出手段により所定の操作が検出されたか否かにより、前記第１の遠隔制御装置による遠隔制御を解除する旨の指示が検出されたか否かを判断する工程と、
前記第１の遠隔制御装置による遠隔制御を解除する旨の指示が検出されたと判断されたことに応答し、前記第１の通信手段による前記第１の遠隔制御装置との通信を切断し、且つ、前記第２の通信手段による第２の遠隔制御装置との通信を開始するよう制御する工程と、
を含むことを特徴とする通信制御方法。
【請求項１０】
第１の通信手段と、第２の通信手段と、を備える被制御装置における通信制御方法であって、
前記第１の通信手段によって通信接続された第１の遠隔制御装置との通信の状況の変化に基づいて、前記第１の通信手段による前記第１の遠隔制御装置との通信を切断し、且つ、前記第２の通信手段による第２の遠隔制御装置との通信を開始するよう制御する工程と、
を含むことを特徴とする通信制御方法。
【請求項１１】
第１の通信手段と、第２の通信手段と、を備える被制御装置に用いられるコンピュータを、
前記第１の通信手段によって通信接続された第１の遠隔制御装置から所定の信号が受信されたか否か、又は、ユーザ操作を検出する操作検出手段により所定の操作が検出されたか否かにより、前記第１の遠隔制御装置による遠隔制御を解除する旨の指示が検出されたか否かを判断する判断手段、
前記判断手段により前記第１の遠隔制御装置による遠隔制御を解除する旨の指示が検出されたと判断されたことに応答し、前記第１の通信手段による前記第１の遠隔制御装置との通信を切断し、且つ、前記第２の通信手段による第２の遠隔制御装置との通信を開始するよう制御する第１の制御手段、
として機能させることを特徴とするプログラム。
【請求項１２】
第１の通信手段と、第２の通信手段と、を備える被制御装置に用いられるコンピュータを、
前記第１の通信手段によって通信接続された第１の遠隔制御装置との通信の状況の変化に基づいて、前記第１の通信手段による前記第１の遠隔制御装置との通信を切断し、且つ、前記第２の通信手段による第２の遠隔制御装置との通信を開始するよう制御する第２の制御手段、
として機能させることを特徴とするプログラム。
【発明の詳細な説明】
【技術分野】
【０００１】
本発明は、被制御装置、通信制御方法、及びプログラムに関する。
【背景技術】
【０００２】
従来より、遠隔制御が可能なカメラにおいて、遠隔制御装置側からの操作により、カメラ本体の機能の制限及び解除を可能とする技術が知られている（例えば、特許文献１参照）。この技術によれば、カメラ本体を操作することなく、遠隔制御により各種機能を制御することができる。
【先行技術文献】
【特許文献】
【０００３】
【特許文献１】特開２０１５−１４２１８３号公報
【発明の概要】
【発明が解決しようとする課題】
【０００４】
しかしながら、カメラが複数種の遠隔制御装置と接続できる場合において、一の遠隔制御装置から他の遠隔制御装置への接続の切り替えを素早く簡単に行うことができなかった。
【０００５】
本発明は、このような問題点に鑑みてなされたものであり、複数の遠隔制御装置から制御を受ける場合の使い勝手を向上させることを目的とする。
【課題を解決するための手段】
【０００６】
上記課題を解決するため、請求項１に記載の発明の被制御装置は、
第１の通信手段と、
第２の通信手段と、
前記第１の通信手段によって通信接続された第１の遠隔制御装置から所定の信号が受信されたか否か、又は、ユーザ操作を検出する操作検出手段により所定の操作が検出されたか否かにより、前記第１の遠隔制御装置による遠隔制御を解除する旨の指示が検出されたか否かを判断する第１の判断手段と、
前記第１の判断手段により前記第１の遠隔制御装置による遠隔制御を解除する旨の指示が検出されたと判断されたことに応答し、前記第１の通信手段による前記第１の遠隔制御装置との通信を切断し、且つ、前記第２の通信手段による第２の遠隔制御装置との通信を開始するよう制御する第１の制御手段と、
を備える。
【発明の効果】
【０００７】
本発明によれば、複数の遠隔制御装置から制御を受ける場合の使い勝手を向上させることが可能となる。
【図面の簡単な説明】
【０００８】
【図１】遠隔制御システムの全体構成例を示す図である。
【図２】図１のカメラの機能的構成を示すブロック図である。
【図３】図２の制御部により実行される通信制御処理を示すフローチャートである。
【発明を実施するための形態】
【０００９】
以下、添付図面を参照して本発明に係る実施形態を詳細に説明する。なお、本発明は、図示例に限定されるものではない。
【００１０】
［遠隔制御システム１００の構成］
図１は、本実施形態における遠隔制御システム１００の全体構成例を示す図である。
図１に示すように、遠隔制御システム１００は、カメラ１と、スマートフォン２と、リモコン３と、を備えて構成されている。カメラ１は、スマートフォン２とWi-Fi（登録商標）及びBluetooth（登録商標。例えば、Bluetooth4.0(Bluetooth Low Energy)）により無線接続可能であり、リモコン３とBluetooth（例えば、Bluetooth4.0(Bluetooth Low Energy)）により無線接続可能である。カメラ１は、スマートフォン２及びリモコン３からの遠隔制御を受けて撮像動作等を行う被制御装置であるが、スマートフォン２とリモコン３からは択一的に遠隔制御される。リモコン３は、電源オン／オフキー３１、動画記録開始／終了キー３２、及び、シャッターキー３３を備え、これらの操作に基づく制御信号が、カメラ１に送信される。
【００１１】
（カメラ１）
図２は、カメラ１の機能的構成を示すブロック図である。図２に示すように、カメラ１は、レンズ１０を備える撮像部１１と、制御部１２と、プログラムメモリ１３と、ワークメモリ１４と、画像格納部１５と、キー操作部１６と、報知部１７と、通信制御部１８と、第１通信部１９と、第２通信部２０と、を備えて構成されている。各部はバスにより接続されている。
【００１２】
撮像部１１は、レンズ１０、図示しないＣＣＤ（Charge Coupled Device）やＣＭＯＳ（Complementary Metal-oxide Semiconductor）等のイメージセンサ等からなる撮像素子、Ａ／Ｄ変換回路等を備えて構成され、レンズ１０を通過した光学像を撮像素子により２次元の画像信号に変換し、画像データを取得する。
【００１３】
制御部１２は、ＣＰＵ（Central Processing Unit）等を備えて構成され、プログラムメモリ１３に記憶されている各種のプログラムを実行して所定の演算や各部の制御を行う。例えば、制御部１２は、後述する通信制御処理を実行し、第１の判断手段、第２の判断手段、第３の判断手段、第１の制御手段として機能する。
【００１４】
プログラムメモリ１３は、不揮発性の半導体メモリやハードディスク等により構成される。プログラムメモリ１３には、制御部１２で実行されるシステムプログラムや各種処理プログラム、これらのプログラムの実行に必要なデータ等が記憶されている。
【００１５】
ワークメモリ１４は、ＲＡＭ（Random Access Memory）等により構成され、制御部１２に作業用のメモリ空間を提供し、データを一時的に記憶する。
【００１６】
画像格納部１５は、例えば、フラッシュメモリ等により構成され、撮像部１１により撮像された画像データを格納する。
【００１７】
キー操作部１６は、図示しない電源キー、シャッターキー１０１、ＷＬＡＮ（Wireless LAN）キー１０２を始めとする各種機能キーを備え、ユーザによる各キーの操作を検出して制御部１２に出力する。キー操作部１６は、操作検出手段として機能する。
【００１８】
報知部１７は、例えば、ＬＥＤ（Light Emitting Diode）、報知音を出力する報知音出力部、振動を発生する振動発生部等を備えて構成され、ユーザに情報の報知を行う。
【００１９】
通信制御部１８は、制御部１２による制御に基づいて、第１通信部１９によるスマートフォン２との通信と第２通信部２０によるリモコン３との通信の切り替え制御を行う。
【００２０】
第１通信部１９は、通信制御部１８による制御に従ってスマートフォン２とＷＬＡＮにより接続し、スマートフォン２からの各種制御信号を受信したり、撮像部１１から取得された画像データをスマートフォン２に送信したりする。本実施形態において、第１通信部１９は、Wi-Fiによりスマートフォン２と通信を行う。第１通信部１９は、第１の通信手段として機能する。
【００２１】
第２通信部２０は、小電力通信によりスマートフォン２、リモコン３等と無線通信を行う。
本実施形態において、第２通信部２０は、Bluetooth2.1EDRにより通信を行う通信部と、Bluetooth4.0により通信を行う通信部とを備える。Bluetooth2.1EDRによる通信部は、通信制御部１８による制御に従って対応するリモコンとBluetooth2.1EDRにより接続し、このリモコンからの各種制御信号を受信する。また、Bluetooth4.0による通信部は、通信制御部１８による制御に従って対応するリモコン３とBluetooth4.0により接続し、このリモコン３からの各種制御信号を受信する。また、通信制御部１８による制御に従ってスマートフォン２とも接続し、定期的にスマートフォン２にポーリング処理を行ってスマートフォン２からの第１通信部１９による通信の開始指示信号等の制御信号の受信を待機する。第２通信部２０のBluetooth2.1EDRによる通信部、及び、Bluetooth4.0による通信部は、第２の通信手段として機能する。
【００２２】
ここで、スマートフォン２は表示部を備えており、撮像部１１により撮像された画像を表示可能であるため、スマートフォン２からの指示に基づき撮像部１１により撮像された画像データをカメラ１からスマートフォン２に送信することが可能である。一方、リモコン３は、表示部を備えていないため、カメラ１からリモコン３への画像データの送信は行わない。そのため、スマートフォン２との通信は、大量のデータ通信が可能な通信方式（ここでは、Wi-Fi）により通信を行う第１通信部１９により行われ、リモコン３との通信は、通信に係る消費電力の低い通信方式（ここでは、Bluetooth4.0(Bluetooth Low Energy)）で行われるようになっている。また、スマートフォン２からの通信の開始指示信号の受信を待機する際にも、定期的にポーリングを行うため、第１通信部１９よりも通信に係る消費電力の低い通信方式により行われるようになっている。
【００２３】
（スマートフォン２）
スマートフォン２は、カメラ１を遠隔制御するための専用のアプリケーションソフト（以下、遠隔制御アプリ）がインストールされた第１の遠隔制御装置である。ユーザは、スマートフォン２において遠隔操作アプリにより提供される操作ボタンの操作により、カメラ１を遠隔操作することが可能である。例えば、リモート撮影（静止画の撮影指示、動画記録開始／終了指示）、カメラ１内の画像表示、電源のオン／オフの切り替え、カメラ１の制御主体の切り替え、カメラ１に係る各種設定等の遠隔操作を行うことが可能である。
【００２４】
（リモコン３）
リモコン３は、ユーザ操作を受け付けてカメラ１を遠隔制御する第２の遠隔制御装置である。
リモコン３は、表示部を備えておらず、リモート撮影（シャッターキー３３の操作検出による静止画の撮影指示、動画記録開始／終了キー３２の操作検出による動画記録開始／終了指示）、電源オン／オフキー３１の操作検出による電源のオン／オフの切り替えのみを遠隔操作可能である。
【００２５】
［遠隔制御システム１００の動作］
次に、遠隔制御システム１００の動作について説明する。
ユーザがカメラ１の電源をオンし、スマートフォン２の遠隔制御アプリを起動してＷＬＡＮキー１０２を押下すると、制御部１２は、通信制御部１８により第１通信部１９にスマートフォン２とWi-Fi接続を行わせ、スマートフォン２からの遠隔制御に基づいて（すなわち、スマートフォン２から受信した制御信号に基づいて）各部を制御する。また、カメラ１は、スマートフォン２から受信した制御信号に基づいて、通信接続先の遠隔制御装置をスマートフォン２とリモコン３との間で切り替える。
【００２６】
以下、スマートフォン２からの制御に応じてカメラ１において通信接続先を切り替える通信制御処理について説明する。図３は、カメラ１の電源がオンとなり、カメラ１とスマートフォン２とがWi-Fi接続されている際に、制御部１２とプログラムメモリ１３に記憶されているプログラムとの協働により実行される。
【００２７】
まず、制御部１２は、第１通信部１９によりスマートフォン２からスマートフォン２による遠隔制御の解除を指示する信号が受信されたか否かを判断する（ステップＳ１）。
ここで、スマートフォン２においては、カメラ１とのWi-Fi接続中、遠隔制御アプリにより、表示部に「カメラやリモコンで操作する」ボタンが表示されており、ユーザがこのボタンにタッチするとこれを検出し、スマートフォン２は、Wi-Fiによりカメラ１にスマートフォン２による遠隔制御の解除を指示する信号を送信する。
【００２８】
第１通信部１９によりスマートフォン２からスマートフォン２による遠隔制御の解除を指示する信号が受信されたと判断した場合（ステップＳ１；ＹＥＳ）、これに応答して、制御部１２は、通信制御部１８により第２通信部２０にリモコン３への接続要求を行わせる（ステップＳ２）。
【００２９】
次いで、制御部１２は、第２通信部２０によりリモコン３からの接続応答が受信されたか否か（すなわち、リモコン３が動作状態であるか否か）を判断する（ステップＳ３）。
【００３０】
第２通信部２０によりリモコン３からの接続応答が受信された（すなわち、リモコン３が動作状態である）と判断した場合（ステップＳ３；ＹＥＳ）、これに応答して、制御部１２は、通信制御部１８により、第１通信部１９によるスマートフォン２とのWi-Fi通信を切断させ（ステップＳ４）、第２通信部２０によりリモコン３との通信を確立させ（ステップＳ５）、ステップＳ８に移行する。
制御部１２は、第２通信部２０によるリモコン３との通信が確立している間、第２通信部２０により受信したリモコン３からの制御信号に基づいてカメラ１を制御する。
【００３１】
一方、第２通信部２０によりリモコン３からの接続応答が受信されていない（すなわち、リモコン３が動作状態ではない）と判断した場合（ステップＳ３；ＮＯ）、制御部１２は、通信制御部１８により、第１通信部１９によるスマートフォン２とのWi-Fi通信を切断させ（ステップＳ６）、キー操作部１６によるキー操作の検出を有効化し（ステップＳ７）、ステップＳ８に移行する。
制御部１２は、キー操作部１６から検出される操作信号に基づいてカメラ１を制御する。
【００３２】
ステップＳ８において、制御部１２は、通信制御部１８により第２通信部２０に定期的にスマートフォン２に対してポーリング処理を行わせ（ステップＳ８）、スマートフォン２から通信の開始指示信号が受信されたか否かを判断する（ステップＳ９）。
ここで、スマートフォン２においては、カメラ１とのWi-Fi接続が切断されると、遠隔制御アプリにより表示部にカメラ１がリモコン３の遠隔操作又はカメラ１の本体のキー操作に切り替えられたことをユーザに報知する画面が表示されるとともに、スマートフォン２での遠隔操作に切り替えることを指示するための「スマホで操作する」ボタンが表示される。ユーザにより「スマホで操作する」ボタンへのタッチが検出されると、スマートフォン２は、カメラ１にスマートフォン２とのWi-Fiによる通信の開始指示信号を送信する。
【００３３】
第２通信部２０によりスマートフォン２からの通信の開始指示信号が検出（受信）されたと判断した場合（ステップＳ９；ＹＥＳ）、制御部１２は、第２通信部２０によりリモコン３と通信接続されているか否かを判断する（ステップＳ１０）。リモコン３と通信接続されていないと判断した場合（ステップＳ１０；ＮＯ）、制御部１２は、ステップＳ１２に移行する。リモコン３と通信接続されていると判断した場合（ステップＳ１０；ＹＥＳ）、制御部１２は、通信制御部１８により、第２通信部２０によるリモコン３との通信を切断させる（ステップＳ１１）。そして、第１通信部１９によりスマートフォン２にWi-Fi接続を行わせてスマートフォン２との通信を確立させ（ステップＳ１２）、ステップＳ１に戻る。
制御部１２は、第１通信部１９によるスマートフォン２との通信が確立している間、第２通信部２０により受信したリモコン３からの制御信号に基づいてカメラ１を制御する。
【００３４】
制御部１２は、カメラ１の電源がオフされるまで、ステップＳ１〜ステップＳ１２の処理を繰り返し実行する。
【００３５】
以上説明したように、カメラ１によれば、制御部１２は、第１通信部１９によって通信接続されたスマートフォン２から所定の信号が受信されたか否かにより、スマートフォン２による遠隔制御を解除する旨の指示が検出されたか否かを判断し、スマートフォン２による遠隔制御を解除する旨の指示が検出されたと判断した場合、第１通信部１９によるスマートフォン２との通信を切断し、第２通信部２０によるリモコン３との通信を開始するよう制御する。
したがって、スマートフォン２からの指示によって、カメラ１をスマートフォン２による遠隔制御からリモコン３による遠隔制御に容易に切り替えることができ、スマートフォン２とリモコン３から遠隔制御を受けるカメラ１の使い勝手を向上させることが可能となる。
【００３６】
例えば、制御部１２は、スマートフォン２による遠隔制御を解除する旨の指示が検出されたと判断した場合、リモコン３が動作状態にあるか否かを判断し、リモコン３が動作状態にあると判断した場合に、第１通信部１９によるスマートフォン２との通信を切断し、第２通信部２０によるリモコン３との通信を開始するよう制御する。
したがって、スマートフォン２から遠隔制御を解除する旨の指示が受信された場合、リモコン３が動作状態にある場合は、カメラ１をスマートフォン２による遠隔制御からリモコン３による遠隔制御に自動的に切り替えることができる。
【００３７】
また、制御部１２は、第２通信部２０からスマートフォン２に定期的にポーリングを行い、第１通信部１９によりスマートフォン２と通信接続されていない状態で第２通信部２０からスマートフォン２との通信の開始指示信号が受信されたと判断した場合、第２通信部２０によるリモコン３との通信を切断し、第１通信部１９によるスマートフォン２との通信を開始するよう制御する。
したがって、スマートフォン２からの指示に基づき、カメラ１をリモコン３による遠隔制御からスマートフォン２による遠隔制御に容易に切り替えることができる。また、ポーリングは、第１通信部１９よりも通信に係る消費電力の少ない第２通信部２０の所定の通信方式により行われるので、消費電力を抑えることができる。
【００３８】
また、制御部１２は、スマートフォン２による遠隔制御を解除する旨の指示が受信され、リモコン３が動作状態にない場合、第１通信部１９によるスマートフォン２との通信を切断し、キー操作部１６により検出された操作に基づいて、カメラ１を制御する。
したがって、スマートフォン２から遠隔制御を解除する旨の指示が受信された場合、リモコン３が動作状態にない場合は、カメラ１をスマートフォン２による遠隔制御からカメラ１本体のキー操作部１６により検出された操作に基づく制御に自動的に切り替えることができる。
【００３９】
また、第１通信部１９は、スマートフォン２との通信に際し、撮像部１１によって撮像された画像を送信し、第２通信部２０は、リモコン３との通信に際し、撮像部１１によって撮像された画像を送信しない。したがって、表示部のあるスマートフォン２において、ユーザは撮像部１１により取得された画像を確認することができる。表示部のないリモコン３には、画像が送信されないようにすることができる。
【００４０】
なお、上記実施形態における記述内容は、本発明に係る遠隔制御システムの好適な一例であり、これに限定されるものではない。
【００４１】
例えば、上記実施形態において、制御部１２は、図３のステップＳ１において、スマートフォン２からの遠隔制御の解除を指示する信号が受信されたか否かに基づいて、スマートフォン２による遠隔制御を解除する旨の指示が検出されたか否かを判断したが、例えばＷＬＡＮキー１０２が第１の所定期間継続して押圧操作されたか否かによって、スマートフォン２による遠隔制御を解除する旨の指示が検出されたか否かを判断してもよい。これにより、ユーザがスマートフォン２を直接操作することが困難な状況であっても、カメラ本体の簡単な操作でカメラ１をスマートフォン２による遠隔制御からリモコン３による遠隔制御に容易に切り替えることができ、スマートフォン２とリモコン３から遠隔制御を受けるカメラ１の使い勝手を向上させることが可能となる。
【００４２】
また、上記実施形態において、制御部１２は、図３のステップＳ９において、スマートフォン２からの通信の開始指示信号が受信されたか否かを判断し、スマートフォン２からの通信の開始指示信号が受信されたと判断した場合に、ステップＳ１０〜Ｓ１２の処理を実行してカメラ１の制御主体をスマートフォン２に切り替えることとして説明したが、例えばＷＬＡＮキー１０２が第１の所定時間よりも短い第２の所定期間継続して押圧操作されたか否かによって、スマートフォン２による通信を開始する旨の指示が検出されたか否かを判断し（第４の判断手段）、スマートフォン２による通信を開始する旨の指示が検出されたと判断した場合に、図３のステップＳ１０〜Ｓ１２の処理を実行するようにしてもよい。これにより、ユーザがスマートフォン２を直接操作することが困難な状況であっても、カメラ本体の簡単な操作でカメラ１をリモコン３による遠隔制御からスマートフォン２による遠隔制御に容易に切り替えることができ、スマートフォン２とリモコン３から遠隔制御を受けるカメラ１の使い勝手を向上させることが可能となる。
【００４３】
また、上記実施形態においては、制御部１２は、ユーザによるスマートフォン２の操作、若しくは、ＷＬＡＮキー１０２の押圧操作等、ユーザの意図的な操作に応答して、スマートフォン２とリモコン３との遠隔制御の切り替えを行うようにしたが、これに限ることはなく、スマートフォン２またはリモコン３とカメラ１との通信環境の変化により、自動的に、カメラ１をリモコン３による遠隔制御からスマートフォン２による遠隔制御（または、スマートフォン２による遠隔制御からリモコン３による遠隔制御）に切り替えるようにしても良い（第２の制御手段）。このようにすることで、ユーザの意図とは無関係にスマートフォン２またはリモコン３とカメラ１との接続が遮断された場合であっても、カメラ１の使い勝手を向上させることが可能となる。
【００４４】
また、上記実施形態においては、本発明の第１の通信手段がWi-Fiによる通信手段、第２の通信手段がBluetooth（Ｒ）による通信手段である場合を例にとり説明したが、第１の通信手段〜第２の通信手段の通信方式は、上記実施形態に限定されるものではなく、他の通信方式としてもよい。
【００４５】
また、上記実施形態においては、被制御装置がカメラ１である場合を例にとり説明したが、被制御装置としてはカメラに限定されるものではなく、他の電子機器としてもよい。
【００４６】
また、上記実施形態においては、第１の遠隔制御装置がスマートフォンである場合を例にとり説明したが、タブレット等の他の端末装置としてもよい。
【００４７】
また、例えば、上記の説明では、本発明に係るプログラムのコンピュータ読み取り可能な媒体としてハードディスクや半導体の不揮発性メモリ等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【００４８】
その他、遠隔制御システムを構成する各装置の細部構成及び細部動作に関しても、発明の趣旨を逸脱することのない範囲で適宜変更可能である。
【００４９】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
第１の通信手段と、
第２の通信手段と、
前記第１の通信手段によって通信接続された第１の遠隔制御装置から所定の信号が受信されたか否か、又は、ユーザ操作を検出する操作検出手段により所定の操作が検出されたか否かにより、前記第１の遠隔制御装置による遠隔制御を解除する旨の指示が検出されたか否かを判断する第１の判断手段と、
前記第１の判断手段により前記第１の遠隔制御装置による遠隔制御を解除する旨の指示が検出されたと判断されたことに応答し、前記第１の通信手段による前記第１の遠隔制御装置との通信を切断し、且つ、前記第２の通信手段による第２の遠隔制御装置との通信を開始するよう制御する第１の制御手段と、
を備える被制御装置。
＜請求項２＞
前記第２の遠隔制御装置が動作状態にあるか否かを判断する第２の判断手段を更に備え、
前記第１の制御手段は、前記第２の判断手段により前記第２の遠隔制御装置が動作状態にあると判断された場合、前記第１の通信手段による前記第１の遠隔制御装置との通信を切断し、且つ、前記第２の通信手段による前記第２の遠隔制御装置との通信を開始するよう制御する請求項１に記載の被制御装置。
＜請求項３＞
前記第１の制御手段は、前記第１の判断手段により前記第１の遠隔制御装置による遠隔制御を解除する旨の指示が検出されたと判断され、前記第２の判断手段により前記第２の遠隔制御装置が動作状態にないと判断されたことに応答し、前記第１の通信手段による前記第１の遠隔制御装置との通信を切断し、且つ、前記操作検出手段により検出された操作に基づいて、前記被制御装置を制御する請求項２に記載の被制御装置。
＜請求項４＞
前記第１の通信手段を用いた前記第１の遠隔制御装置との通信の開始指示信号が受信されたか否かを判断する第３の判断手段を更に備え、
前記第１の制御手段は、前記第１の通信手段により前記第１の遠隔制御装置が通信接続されていない状態で前記第３の判断手段により前記第１の通信手段を用いた前記第１の遠隔制御装置との通信の開始指示信号が受信されたと判断されたことに応答し、前記第２の通信手段による前記第２の遠隔制御装置との通信を切断し、且つ、前記第１の通信手段による前記第１の遠隔制御装置との通信を開始するよう制御する請求項１又は２に記載の被制御装置。
＜請求項５＞
前記開始指示信号は、前記第１の通信手段よりも通信に係る消費電力が少ない第２の通信手段を介して受信される請求項４に記載の被制御装置。
＜請求項６＞
前記操作検出手段により前記第１の通信手段を用いた前記第１の遠隔制御装置との通信の開始指示が検出されたか否かを判断する第４の判断手段を更に備え、
前記第１の制御手段は、前記第１の通信手段により前記第１の遠隔制御装置が通信接続されていない状態で前記第４の判断手段により前記第１の通信手段を用いた前記第１の遠隔制御装置との通信の開始指示信号が検出されたと判断されことに応答し、前記第２の通信手段による前記第２の遠隔制御装置との通信を切断し、且つ、前記第１の通信手段による前記第１の遠隔制御装置との通信を開始するよう制御する請求項１又は２に記載の被制御装置。
＜請求項７＞
撮像手段を更に備え、
前記第１の通信手段は、前記第１の遠隔制御装置との通信に際し、前記撮像手段によって撮像された画像を送信し、
前記第２の通信手段は、前記第２の遠隔制御装置との通信に際し、前記撮像手段によって撮像された画像を送信しないことを特徴とする請求項１〜６のいずれか一項に記載の被制御装置。
＜請求項８＞
第１の通信手段と、
第２の通信手段と、
前記第１の通信手段によって通信接続された第１の遠隔制御装置との通信の状況の変化に基づいて、前記第１の通信手段による前記第１の遠隔制御装置との通信を切断し、且つ、前記第２の通信手段による第２の遠隔制御装置との通信を開始するよう制御する第２の制御手段と、
を備える被制御装置。
＜請求項９＞
第１の通信手段と、第２の通信手段と、を備える被制御装置における通信制御方法であって、
前記第１の通信手段によって通信接続された第１の遠隔制御装置から所定の信号が受信されたか否か、又は、ユーザ操作を検出する操作検出手段により所定の操作が検出されたか否かにより、前記第１の遠隔制御装置による遠隔制御を解除する旨の指示が検出されたか否かを判断する工程と、
前記第１の遠隔制御装置による遠隔制御を解除する旨の指示が検出されたと判断されたことに応答し、前記第１の通信手段による前記第１の遠隔制御装置との通信を切断し、且つ、前記第２の通信手段による第２の遠隔制御装置との通信を開始するよう制御する工程と、
を含むことを特徴とする通信制御方法。
＜請求項１０＞
第１の通信手段と、第２の通信手段と、を備える被制御装置における通信制御方法であって、
前記第１の通信手段によって通信接続された第１の遠隔制御装置との通信の状況の変化に基づいて、前記第１の通信手段による前記第１の遠隔制御装置との通信を切断し、且つ、前記第２の通信手段による第２の遠隔制御装置との通信を開始するよう制御する工程と、
を含むことを特徴とする通信制御方法。
＜請求項１１＞
第１の通信手段と、第２の通信手段と、を備える被制御装置に用いられるコンピュータを、
前記第１の通信手段によって通信接続された第１の遠隔制御装置から所定の信号が受信されたか否か、又は、ユーザ操作を検出する操作検出手段により所定の操作が検出されたか否かにより、前記第１の遠隔制御装置による遠隔制御を解除する旨の指示が検出されたか否かを判断する判断手段、
前記判断手段により前記第１の遠隔制御装置による遠隔制御を解除する旨の指示が検出されたと判断されたことに応答し、前記第１の通信手段による前記第１の遠隔制御装置との通信を切断し、且つ、前記第２の通信手段による第２の遠隔制御装置との通信を開始するよう制御する第１の制御手段、
として機能させることを特徴とするプログラム。
＜請求項１２＞
第１の通信手段と、第２の通信手段と、を備える被制御装置に用いられるコンピュータを、
前記第１の通信手段によって通信接続された第１の遠隔制御装置との通信の状況の変化に基づいて、前記第１の通信手段による前記第１の遠隔制御装置との通信を切断し、且つ、前記第２の通信手段による第２の遠隔制御装置との通信を開始するよう制御する第２の制御手段、
として機能させることを特徴とするプログラム。
【符号の説明】
【００５０】
１００  遠隔制御システム
１  カメラ
１０  レンズ
１１  撮像部
１２  制御部
１３  プログラムメモリ
１４  ワークメモリ
１５  画像格納部
１６  キー操作部
１０１  シャッターキー
１０２  ＷＬＡＮキー
１７  報知部
１８  通信制御部
１９  第１通信部
２０  第２通信部
２  スマートフォン
３  リモコン
【図１】
2019062260.tif 000003
【図２】
2019062260.tif 000004
【図３】
2019062260.tif 000005